(57)【要約】【課題】グレンタンク内部の清掃作業及びメンテナンス作業を容易化する。【解決手段】  グレンタンク（１６）を上部タンク（１）と下部タンク（２）とで構成する。下部タンク（２）の前後の壁部（２１）と左右の側壁（７）との各上端に外側に突出する上縁（１２）を設ける。上部タンク（１）を合成樹脂で形成すると共に該上部タンク（１）の周面を窪ませて補強し、該上部タンク（１）の底部を下部タンク（２）の左右の側壁（７）と同様の傾斜に形成する。上部タンク（１）の下部周面に外側に突出する支持縁（１３）を形成して上部タンク（１）を下部タンク（２）に嵌合させたとき該支持縁（１３）が下部タンク（２）の上端に設けた上縁（１２）に係止されるように構成する。【選択図】          図１
2006204311.tif 000002
【特許請求の範囲】
【請求項１】
脱穀済み穀粒を収容するグレンタンク（１６）の後側に縦螺旋筒（２３）を設け、該縦螺旋筒（２３）の上端に横螺旋筒（２５）を上下回動自在に支持し、前記グレンタンク（１６）を上部タンク（１）と下部タンク（２）とで構成すると共に、下部タンク（２）を前後の壁部（２１）と上開き傾斜の左右の側壁（７）とで形成して該前後の壁部（２１）と左右の側壁（７）との各上端に外側に突出する上縁（１２）を設け、前記上部タンク（１）を合成樹脂で形成すると共に該上部タンク（１）の周面を窪ませて補強し、該上部タンク（１）の底部を前記下部タンク（２）の左右の側壁（７）と同様の傾斜に形成して上部タンク（１）の下端縁（１１）を下部タンク（２）の内側面に沿って差込むようにして上部タンク（１）の底部を下部タンク（２）の内側に嵌合可能に設けるとともに、上部タンク（１）の下部周面に外側に突出する支持縁（１３）を形成して上部タンク（１）を下部タンク（２）に嵌合させたとき該支持縁（１３）が下部タンク（２）の上端に設けた前記上縁（１２）に係止される構成として、上部タンク（１）を下部タンク（２）に対して上方から着脱自在に装着したことを特徴とするコンバインのグレンタンク。
【発明の詳細な説明】
【技術分野】
【０００１】
この発明は、コンバインのグレンタンクに関するものである。
【背景技術】
【０００２】
コンバインのグレンタンクを上部タンクと下部タンクとに分離できる形態のものがある。
【特許文献１】特開平６−１５３６７９号公報
【発明の開示】
【発明が解決しようとする課題】
【０００３】
コンバインのグレンタンクを上部タンクと下部タンクとに分離できる形態では、下部タンクを車体上に搭載してから、この下部タンク上に上部タンクを積重ねるために、下部タンクが高い程その組立作業が面倒で難くなる。又、上部タンクが重いとメンテナンス等に手数を要する。
【課題を解決するための手段】
【０００４】
この発明は、脱穀済み穀粒を収容するグレンタンク（１６）の後側に縦螺旋筒（２３）を設け、該縦螺旋筒（２３）の上端に横螺旋筒（２５）を上下回動自在に支持し、前記グレンタンク（１６）を上部タンク（１）と下部タンク（２）とで構成すると共に、下部タンク（２）を前後の壁部（２１）と上開き傾斜の左右の側壁（７）とで形成して該前後の壁部（２１）と左右の側壁（７）との各上端に外側に突出する上縁（１２）を設け、前記上部タンク（１）を合成樹脂で形成すると共に該上部タンク（１）の周面を窪ませて補強し、該上部タンク（１）の底部を前記下部タンク（２）の左右の側壁（７）と同様の傾斜に形成して上部タンク（１）の下端縁（１１）を下部タンク（２）の内側面に沿って差込むようにして上部タンク（１）の底部を下部タンク（２）の内側に嵌合可能に設けるとともに、上部タンク（１）の下部周面に外側に突出する支持縁（１３）を形成して上部タンク（１）を下部タンク（２）に嵌合させたとき該支持縁（１３）が下部タンク（２）の上端に設けた前記上縁（１２）に係止される構成として、上部タンク（１）を下部タンク（２）に対して上方から着脱自在に装着したことを特徴とするコンバインのグレンタンクの構成とする。
【０００５】
下部タンク２を車体上に搭載し、この下部タンク２の上側に上部タンク１を上から嵌合させてグレンタンク１６を構成する。脱穀装置で脱穀された穀粒は、揚穀機によって上部タンク１の揚穀口から供給されて、これら下部タンク２及び上部タンク１内に収容貯留される。又、グレンタンク１６内の収容穀粒を機外へ排出するときは、排穀螺旋を駆動する。グレンタンク１６は、合成樹脂で形成された上部タンク１と、下部タンク２とで構成され、上部タンク１は下部タンク２に対して上方から着脱自在に装着される。上部タンク１の底部は、下部タンク２の上開き傾斜の左右側壁７と同様の傾斜に形成されていて、上部タンク１の下端縁１１を下部タンク２の内側面に沿って差込むようにして上部タンク１の底部を下部タンク２の内側に嵌合され、また、このとき、上部タンク１の下部周面に外側に突出する支持縁１３が、下部タンク２の上端に外側に突出させて設けた上縁１２に係止されて、上部タンク１が下部タンク２に支持される。
【発明の効果】
【０００６】
この発明によると、グレンタンク１６を上部タンク１と下部タンク２とで構成すると共に、上部タンク１を合成樹脂で形成し、この上部タンク１を下部タンク２に対して上方から着脱自在に装着した構成であるから、グレンタンク１６内のメンテナンス作業や下部タンク２内の清掃作業が簡単に行なえ、特に上部タンク１を合成樹脂材で形成し周面を窪ませて補強しているので、軽く組立も容易である。
【０００７】
また、下部タンク２は、前後の壁部２１と上開き傾斜の左右の側壁７とで形成するとともに前後左右の壁部２１，７の各上端に外側に突出する上縁１２を設け、上部タンク１は、底部を側壁７と同様の傾斜に形成して上部タンク１の下端縁１１を下部タンク２の内側面に沿って差込むようにして上部タンク１の底部を下部タンク２の内側に嵌合させることができる。また、上部タンク１の下部周面に外側に突出する支持縁１３を形成して上部タンク１を下部タンク２に嵌合させたとき該支持縁１３を下部タンク２の上端に設けた前記上縁１２に係止させることができると共に、上部タンク１の底部を、上開き傾斜の左右側壁７の内壁面と、上部タンク１の下部周面に形成した支持縁１３が係止される下部タンク２の上端に設けた上縁１２とで支持することができる。
【発明を実施するための最良の形態】
【０００８】
コンバインは、自脱形態で、左右一対のクローラ走行装置１４を有する車体１５上に、脱穀装置８とグレンタンク１６を左右に配置し、この脱穀装置８の前方には、刈取装置１７を設けて、刈取られる穀稈を後方へ搬送して脱穀装置８へ供給し、フィードチエンと挾扼杆とで挾持し搬送する穀稈の穂部を脱穀室へ供給して脱穀させる。又、グレンタンク１６の前側にはエンジンカバー１８下にエンジンを搭載し、操縦席１９や操縦台２０等を配置している。  
【０００９】
前記グレンタンク１６は、下部タンク２と上部タンク１とに分離できるが、下部タンク２は、車体１５上に搭載し、前後方向に沿った排穀螺旋４の軸５端を前後壁部２１に軸受けし、この後壁部には排出口３を設けている。又、この排穀螺旋４の上側に沿って正面視で山形状の傘板６を設け、上方から流下する穀粒を排穀螺旋４の左右両側部に案内する。該前後壁部２１の上縁１２は傘板６と同様に左右へ傾斜して外側へ折曲げた形態としている。又、これら前後壁部２１の上縁１２の傾斜下端部間を連結する側壁７の上縁１２は、前記排穀螺旋４の高さとほぼ同高さに形成され、傘板６よりも下位に設定されて、できるだけ低く構成している。  
【００１０】
又、上部タンク１は、合成樹脂製として、揚穀機９と対向する側には揚穀口１０を有して、揚穀機９の上端を連通させることができ、底部は前記側壁縁７と同様の傾斜に形成し、下端縁１１を下部タンク２の内側面に沿って差込むようにして、上部タンク１の底部を下部タンク２の内側に嵌合させることができる。この下端縁１１の前後壁部２１に対向する部分は傘板６の上面に支持乃至接近するように嵌合されている。この上部タンク１の下部周面には、側壁７の上縁１２及び前後壁部２１の上縁１２に支持される支持縁１３が突設されて、上部タンク１を嵌合させたときこの支持縁１３が側壁７の上縁１２及び前後壁部２１の上縁１２に係止されて嵌合支持される。  
【００１１】
前記グレンタンク１６後側部の排出口３には、排穀螺旋４の後端部を支持する排出筒２２が連接され、この排出筒２２に鉛直方向の縦螺旋筒２３がモータ２４によって旋回自在に設けられ、この縦螺旋筒２３の上端部に横螺旋筒２５が伸縮シリンダ２６によって上下回動自在にして連接され、前記排穀螺旋４の駆動によって各筒２３，２５内の螺旋を回転してグレンタンク１６内の収容穀粒を搬送し、先端の排出口２７から機外へ排出させることができる。  
【００１２】
図４において、上例と異なる点は、合成樹脂製の上部タンク１を、中段部の径を大きくした角太鼓形態に構成し、この高さの中央位置に周面に沿って内側へ窪ませた窪条２８を形成して、グレンタンクの補強を図る。図５は、穀粒袋２９を保持する袋ホルダ３０を、横螺旋筒２５に対して左右に移動可能に設けたものである。３１は操作ボックスで、前記排穀螺旋４を伝動して穀粒を排出口２７から排出させる操作スイッチ３２を有し、この操作ボックス３１よりも先端側の排出口２７側に袋ホルダ３０が設けられる。３３は袋ホルダ３０の移動を固定するボルトである。又、袋ホルダ３０は袋２９の袋口部の左右両側端に設けられる鳩目を嵌合させて支持するホーク形態の構成としている。穀粒を取出して袋詰するときは、袋ホルダ３０を中央部に位置させ、袋ホルダ３０を使用しないときは邪魔にならない側へ移動させればよい。  
【００１３】
図６は、前記操作ボックス３１を横螺旋筒２５の根元側Ａと先端側Ｂとに付替えできる構成としたものである。この操作ボックス３１には前記排穀螺旋４の伝動クラッチを入り切りするクラッチレバー３４を設けて、クラッチとワイヤー３５で連動させている。３６は操作ボックス３１をボルト締等で着脱するブラケットで、横螺旋筒２５の根元側側面Ａと先端側側面Ｂとに設けられる。排穀操作の行い易い位置に取付ける。  
【図面の簡単な説明】
【００１４】
【図１】グレンタンクの分解斜視図である。
【図２】グレンタンクの正面図である。
【図３】コンバインの側面図である。
【図４】一部別実施例を示すグレンタンクの斜視図とその一部の断面図である。
【図５】横螺旋筒部の作用を示す平面図、及び側面図である。
【図６】別の横螺旋筒部の側面図と、これに着脱する操作ボックス部の側面図と平面図である。
【符号の説明】
【００１５】
１  上部タンク
２  下部タンク  
７  側壁
１１  下端縁  
１２  上縁  
１３  支持縁  
１６  グレンタンク
２１  壁部
２３  縦螺旋筒
２５  横螺旋筒
【図１】
2006204311.tif 000003
【図２】
2006204311.tif 000004
【図３】
2006204311.tif 000005
【図４】
2006204311.tif 000006
【図５】
2006204311.tif 000007
【図６】
2006204311.tif 000008